(57)【要約】【課題】回転胴体の回転バランスが良好な排藁細断装置が要望されている。【解決手段】回転駆動される回転胴体１３と、回転胴体１３の外周部から回転胴体１３の径方向外側に向かって突出する複数の回転刃１４と、複数の回転刃１４と対応する状態で設けられた複数の固定刃１５と、が備えられ、複数の回転刃１４と複数の固定刃１５とによって脱穀処理後の排藁を細断処理する排藁細断装置１２であって、複数の回転刃１４は、回転胴体１３の回転軸心Ｘ１方向における同じ位置で回転胴体１３の周方向に位相をずらして配置される二つ一組の回転刃１４が、回転軸心Ｘ１方向に沿って間隔をあけて複数組配置されることで構成され、二つ一組の回転刃１４における各回転刃１４の基端部は、回転胴体１３の側面視で回転軸心Ｘ１を通る直線上に位置するように配置されている。【選択図】図４
2019076040.tif 000002
【特許請求の範囲】
【請求項１】
回転駆動される回転胴体と、前記回転胴体の外周部から前記回転胴体の径方向外側に向かって突出する複数の回転刃と、前記複数の回転刃と対応する状態で設けられた複数の固定刃と、が備えられ、前記複数の回転刃と前記複数の固定刃とによって脱穀処理後の排藁を細断処理する排藁細断装置であって、
前記複数の回転刃は、前記回転胴体の回転軸心方向における同じ位置で前記回転胴体の周方向に位相をずらして配置される二つ一組の回転刃が、前記回転軸心方向に沿って間隔をあけて複数組配置されることで構成され、
前記二つ一組の回転刃における各回転刃の基端部は、前記回転胴体の側面視で前記回転軸心を通る直線上に位置するように配置されている排藁細断装置。
【請求項２】
前記回転胴体の外周部に、前記回転刃が取り付けられる取り付け部が複数設けられ、
前記回転刃の夫々は、同一の前記取り付け部に取り付けられる一対の回転刃体によって構成され、
前記固定刃は、前記回転軸心方向において、同一の前記取り付け部に取り付けられた前記一対の回転刃体の間と、隣り合う前記取り付け部に取り付けられた隣り合う前記回転刃の間と、に位置するように設けられている請求項１に記載の排藁細断装置。
【請求項３】
前記回転胴体の外周部に、前記回転刃が取り付けられる取り付け部が複数設けられ、
前記回転刃は、前記回転軸心と平行な軸心周りで揺動可能な状態で、前記取り付け部に支持され、
前記回転刃が前記回転胴体の回転方向とは反対側に回転しないように前記回転刃に回り止め作用する回り止め部材が、前記取り付け部に着脱可能に取り付けられている請求項１又は２に記載の排藁細断装置。
【請求項４】
前記回転胴体及び前記複数の回転刃を覆う箱形状のケースが備えられ、
前記ケースの底部に、前記ケースの前部から前記回転胴体の下方を通って後方に向かって延びる底板が設けられ、
前記固定刃は、前記底板から前記回転胴体側に向かって突出し、かつ、突出方向に沿って出退可能である請求項１から３の何れか一項に記載の排藁細断装置。
【請求項５】
前記固定刃は、前記回転胴体の側面視において、前記底板に対する交差角度が変化するように揺動可能である請求項４に記載の排藁細断装置。
【請求項６】
前記回転胴体及び前記複数の回転刃を覆う箱形状のケースと、
前記ケースの後部から後方に向かって延びると共に細断処理後の排藁を拡散する拡散部材と、が備えられ、
前記拡散部材は、折り畳み可能である請求項１から５の何れか一項に記載の排藁細断装置。
【請求項７】
前記拡散部材は、左右の側板と、左側の前記側板と右側の前記側板とに亘る天板と、を有する下方に開口する部材であり、
前記左側の側板、前記右側の側板及び前記天板は、夫々、前支点周りで揺動可能であり、
前記左側の側板と前記天板の左端部とを連結解除可能に連結する左連結部と、
前記右側の側板と前記天板の右端部とを連結解除可能に連結する右連結部と、が備えられ、
前記左連結部及び前記右連結部を夫々連結解除した状態で、前記左側の側板、前記右側の側板及び前記天板を、夫々、前支点周りで前側に揺動させて折り畳み可能に構成されている請求項６に記載の排藁細断装置。
【請求項８】
前記左右の側板及び前記天板を折り畳んだ状態で固定する固定部が備えられ、
前記左右の側板と前記天板とが重なり合う状態で、前記固定部によって固定されるように構成されている請求項７に記載の排藁細断装置。
【発明の詳細な説明】
【技術分野】
【０００１】
本発明は、回転駆動される回転胴体と、回転胴体の外周部から回転胴体の径方向外側に向かって突出する複数の回転刃と、複数の回転刃と対応する状態で設けられた複数の固定刃と、が備えられ、複数の回転刃と複数の固定刃とによって脱穀処理後の排藁を細断処理する排藁細断装置に関する。
【背景技術】
【０００２】
上記のような排藁細断装置として、例えば、特許文献１に記載の排藁細断装置が既に知られている。特許文献１には、回転駆動される回転胴体（文献では「回転体」）と、回転胴体の外周部から回転胴体の径方向外側に向かって突出する複数の回転刃と、複数の回転刃と対応する状態で設けられた複数の固定刃と、が備えられ、複数の回転刃と複数の固定刃とによって脱穀処理後の排藁を細断処理する排藁細断装置が開示されている。
【先行技術文献】
【特許文献】
【０００３】
【特許文献１】特開２０１７−８６０２１号公報
【発明の概要】
【発明が解決しようとする課題】
【０００４】
特許文献１に記載の排藁細断装置では、各回転刃が回転軸心方向における異なる位置に配置されている。このため、回転胴体の回転時に、各回転刃による遠心力が回転軸心方向における異なる位置で作用することになり、回転胴体が高速で回転すると、回転軸心がぶれてしまうことが懸念される。
【０００５】
上記状況に鑑み、回転胴体の回転バランスが良好な排藁細断装置が要望されている。
【課題を解決するための手段】
【０００６】
本発明の特徴は、
回転駆動される回転胴体と、前記回転胴体の外周部から前記回転胴体の径方向外側に向かって突出する複数の回転刃と、前記複数の回転刃と対応する状態で設けられた複数の固定刃と、が備えられ、前記複数の回転刃と前記複数の固定刃とによって脱穀処理後の排藁を細断処理する排藁細断装置であって、
前記複数の回転刃は、前記回転胴体の回転軸心方向における同じ位置で前記回転胴体の周方向に位相をずらして配置される二つ一組の回転刃が、前記回転軸心方向に沿って間隔をあけて複数組配置されることで構成され、
前記二つ一組の回転刃における各回転刃の基端部は、前記回転胴体の側面視で前記回転軸心を通る直線上に位置するように配置されていることにある。
【０００７】
本特徴構成によれば、二つ一組の回転刃における一方の回転刃と他方の回転刃とが、回転軸心方向における同じ位置に配置され、かつ、二つ一組の回転刃における各回転刃の基部が回転胴体の側面視で回転軸心を通る直線上に位置している。これにより、回転胴体の回転時に、一方の回転刃による遠心力と他方の回転刃による遠心力とが、回転軸心方向における同じ位置において、回転胴体の側面視で回転軸心を通る直線上で、互いに反対側の径方向外側に向かって作用することになる。この結果、一方の回転刃による遠心力と他方の回転刃による遠心力とがバランスすることになり、回転胴体が高速で回転しても回転軸心がぶれ難い。すなわち、本特徴構成によれば、回転胴体の回転バランスが良好な排藁細断装置を実現することができる。
【０００８】
さらに、本発明において、
前記回転胴体の外周部に、前記回転刃が取り付けられる取り付け部が複数設けられ、
前記回転刃の夫々は、同一の前記取り付け部に取り付けられる一対の回転刃体によって構成され、
前記固定刃は、前記回転軸心方向において、同一の前記取り付け部に取り付けられた前記一対の回転刃体の間と、隣り合う前記取り付け部に取り付けられた隣り合う前記回転刃の間と、に位置するように設けられていると好適である。
【０００９】
本特徴構成によれば、同一の取り付け部に取り付けられた一対の回転刃体の間と、隣り合う取り付け部に取り付けられた隣り合う回転刃の間との何れの箇所においても、排藁が回転刃と固定刃とによって細断処理されることになる。これにより、排藁を細かく細断処理することができる。
【００１０】
さらに、本発明において、
前記回転胴体の外周部に、前記回転刃が取り付けられる取り付け部が複数設けられ、
前記回転刃は、前記回転軸心と平行な軸心周りで揺動可能な状態で、前記取り付け部に支持され、
前記回転刃が前記回転胴体の回転方向とは反対側に回転しないように前記回転刃に回り止め作用する回り止め部材が、前記取り付け部に着脱可能に取り付けられていると好適である。
【００１１】
本特徴構成によれば、回り止め部材が回転刃に回り止め作用することにより、回転刃を排藁に対してしっかりと切断作用させることができる。また、回り止め部材が着脱可能であるため、回り止め部材を交換したり、あるいは、排藁の細断処理量や作物の種類等に応じて、回り止めを行うか否かを変更したりすることができる。
【００１２】
さらに、本発明において、
前記回転胴体及び前記複数の回転刃を覆う箱形状のケースが備えられ、
前記ケースの底部に、前記ケースの前部から前記回転胴体の下方を通って後方に向かって延びる底板が設けられ、
前記固定刃は、前記底板から前記回転胴体側に向かって突出し、かつ、突出方向に沿って出退可能であると好適である。
【００１３】
本特徴構成によれば、排藁の細断処理量や作物の種類等に応じて、切断性能を最適化するべく、回転刃に対する固定刃のラップ代を調整することができる。
【００１４】
さらに、本発明において、
前記固定刃は、前記回転胴体の側面視において、前記底板に対する交差角度が変化するように揺動可能であると好適である。
【００１５】
本特徴構成によれば、排藁の細断処理量や作物の種類等に応じて、切断性能を最適化するべく、回転刃と固定刃との交差角度を調整することができる。
【００１６】
さらに、本発明において、
前記回転胴体及び前記複数の回転刃を覆う箱形状のケースと、
前記ケースの後部から後方に向かって延びると共に細断処理後の排藁を拡散する拡散部材と、が備えられ、
前記拡散部材は、折り畳み可能であると好適である。
【００１７】
本特徴構成によれば、細断処理後の排藁が拡散部材によって拡散されることにより、細断処理後の排藁を圃場の特定箇所に偏らないように撒くことができる。また、拡散部材を折り畳むことにより、拡散部材が邪魔になることなく、排藁細断装置を容易に運ぶことができる。
【００１８】
さらに、本発明において、
前記拡散部材は、左右の側板と、左側の前記側板と右側の前記側板とに亘る天板と、を有する下方に開口する部材であり、
前記左側の側板、前記右側の側板及び前記天板は、夫々、前支点周りで揺動可能であり、
前記左側の側板と前記天板の左端部とを連結解除可能に連結する左連結部と、
前記右側の側板と前記天板の右端部とを連結解除可能に連結する右連結部と、が備えられ、
前記左連結部及び前記右連結部を夫々連結解除した状態で、前記左側の側板、前記右側の側板及び前記天板を、夫々、前支点周りで前側に揺動させて折り畳み可能に構成されていると好適である。
【００１９】
本特徴構成によれば、左側の側板、右側の側板及び天板を、夫々、折り畳むことにより、拡散部材をよりコンパクトに折り畳むことができる。
【００２０】
さらに、本発明において、
前記左右の側板及び前記天板を折り畳んだ状態で固定する固定部が備えられ、
前記左右の側板と前記天板とが重なり合う状態で、前記固定部によって固定されるように構成されていると好適である。
【００２１】
本特徴構成によれば、排藁細断装置を運ぶ際に、左右の側板及び天板を固定部によって折り畳んだ状態で固定することにより、左右の側板及び天板がばたつくことがない。その際、左右の側板と天板とが重なり合う状態で固定されるため、拡散部材をよりコンパクトに折り畳むことができる。
【図面の簡単な説明】
【００２２】
【図１】コンバインを示す左側面図である。
【図２】コンバインを示す平面図である。
【図３】排藁細断装置を示す左側面断面図である。
【図４】排藁細断装置の内部を示す背面図である。
【図５】回転刃の配置を示す左側面図である。
【図６】回転刃及び固定刃の配置を示す展開図である。
【図７】回転刃の取り付け構造を示す左側面断面図である。
【図８】図７におけるＶＩＩＩ−ＶＩＩＩ断面図である。
【図９】回転刃の取り付け構造を示す分解斜視図である。
【図１０】固定刃の取り付け構造を示す底面図である。
【図１１】固定刃の突出長さを最大にした状態を示す左側面断面図である。
【図１２】固定刃の突出長さを最小にした状態を示す左側面断面図である。
【図１３】拡散部材を示す左側面図である。
【図１４】拡散部材を示す背面図である。
【図１５】拡散部材を折り畳んだ状態を示す左側面図である。
【図１６】拡散部材を折り畳んだ状態を示す背面図である。
【図１７】別実施形態に係る固定刃の取り付け構造を示す左側面断面図である。
【発明を実施するための形態】
【００２３】
本発明を実施するための形態について、図面に基づき説明する。なお、以下の説明では、図１及び図２に示す矢印Ｆの方向を「機体前側」、矢印Ｂの方向を「機体後側」、図２に示す矢印Ｌの方向を「機体左側」、矢印Ｒの方向を「機体右側」とする。
【００２４】
〔コンバインの全体構成〕
図１及び図２には、普通型コンバイン（本発明に係る「コンバイン」に相当）を示している。本コンバインには、機体フレーム１と、走行装置２と、が備えられている。走行装置２には、左右一対の前輪２Ｆと、左右一対の後輪２Ｂと、が備えられている。機体の前方には、植立穀稈を刈り取る刈取部３が設けられている。刈取部３には、植立穀稈を掻き込む掻込リール４と、植立穀稈を切断する刈刃５と、刈取穀稈を掻き込む掻込オーガ６と、が備えられている。
【００２５】
機体の前部には、運転キャビン７が設けられている。機体フレーム１上には、刈取穀稈を脱穀処理する脱穀装置８が設けられている。刈取部３と脱穀装置８とに亘って、刈取穀稈を脱穀装置８に向けて搬送するフィーダ９が設けられている。脱穀装置８上には、脱穀処理後の穀粒を貯留する穀粒貯留タンク１０が設けられている。穀粒貯留タンク１０内の穀粒を外部に排出する穀粒排出装置１１が設けられている。脱穀装置８の後側には、複数の回転刃１４と複数の固定刃１５とによって脱穀処理後の排藁を細断処理する排藁細断装置１２が連設されている。
【００２６】
〔排藁細断装置〕
図３及び図４に示すように、排藁細断装置１２には、回転駆動される回転胴体１３と、回転胴体１３の外周部から回転胴体１３の径方向外側に向かって突出する複数の回転刃１４と、複数の回転刃１４と対応する状態で設けられた複数の固定刃１５と、回転胴体１３及び複数の回転刃１４を覆う箱形状のケース１６と、ケース１６の後部から後方に向かって延びると共に細断処理後の排藁を拡散する拡散部材１７（図１及び図２参照）と、が備えられている。
【００２７】
〔ケース〕
ケース１６には、左右の側板１８と、左側の側板１８と右側の側板１８とに亘る天板１９と、が備えられている。ケース１６のうち前部から上部に亘る部分には、脱穀処理後の排藁を受け入れる受け入れ口２０が形成されている。ケース１６の後下部には、細断処理後の排藁を放出する放出口２１が形成されている。
【００２８】
ケース１６の底部には、底板２２が設けられている。底板２２は、左側の側板１８と右側の側板１８とに亘って設けられている。底板２２は、ケース１６の前端部から回転胴体１３の下方を通って後方に向かって延びている。底板２２の後端は、回転軸心Ｘ１よりも後側に位置している。
【００２９】
〔回転胴体〕
回転胴体１３は、円筒状の部材であり、左右方向に延びる回転軸心Ｘ１周りで回転可能な状態で、左右の側板１８に支持されている。回転胴体１３のうち左側の側板１８から左方に突出する部分には、回転駆動力が入力される入力プーリ２３が設けられている。回転胴体１３は、回転軸心Ｘ１周りで矢印Ａの方向に回転駆動される。
【００３０】
〔回転刃〕
図３から図９に示すように、複数の回転刃１４は、二つ一組の回転刃（以下単に「一組の回転刃」と称する。）１４が回転軸心Ｘ１方向に沿って間隔（等間隔）をあけて複数組（本実施形態では、九つ）配置されることで構成されている。一組の回転刃１４において、一方の回転刃１４と他方の回転刃１４とは、回転軸心Ｘ１方向における同じ位置で回転胴体１３の周方向に１８０度位相をずらして配置されている。隣り合う一組の回転刃１４の回転軸心Ｘ１周りの間隔は、等角度間隔（本実施形態では、２０度間隔）である。
【００３１】
ここで、九つの一組の回転刃１４において、左側から順に、第一番目の一組の回転刃１４、第二番目の一組の回転刃１４、第三番目の一組の回転刃１４、第四番目の一組の回転刃１４、第五番目の一組の回転刃１４、第六番目の一組の回転刃１４、第七番目の一組の回転刃１４、第八番目の一組の回転刃１４、第九番目の一組の回転刃１４と称する。
【００３２】
九つの一組の回転刃１４における各回転刃１４の基端部は、夫々、回転胴体１３の側面視で回転軸心Ｘ１を通る直線Ｌ１〜Ｌ９上に位置するように配置されている。詳述すると、図５に示すように、第一番目の一組の回転刃１４における各回転刃１４の基端部は、第一の直線Ｌ１上に位置している。第二番目の一組の回転刃１４における各回転刃１４の基端部は、第二の直線Ｌ２上に位置している。第三番目の一組の回転刃１４における各回転刃１４の基端部は、第三の直線Ｌ３上に位置している。第四番目の一組の回転刃１４における各回転刃１４の基端部は、第四の直線Ｌ４上に位置している。第五番目の一組の回転刃１４における各回転刃１４の基端部は、第五の直線Ｌ５上に位置している。第六番目の一組の回転刃１４における各回転刃１４の基端部は、第六の直線Ｌ６上に位置している。第七番目の一組の回転刃１４における各回転刃１４の基端部は、第七の直線Ｌ７上に位置している。第八番目の一組の回転刃１４における各回転刃１４の基端部は、第八の直線Ｌ８上に位置している。第九番目の一組の回転刃１４における各回転刃１４の基端部は、第九の直線Ｌ９上に位置している。
【００３３】
回転胴体１３の外周部には、回転刃１４が取り付けられる取り付け部２４が複数設けられている。取り付け部２４には、支持片２５と、一対の端部片２６と、が備えられている。支持片２５には、回転刃１４が回転軸心Ｘ１と平行な軸心Ｘ２周りで揺動可能な状態で支持されている。端部片２６は、支持片２５における回転胴体１３の周方向の両端部に設けられている。
【００３４】
本実施形態では、回転刃１４は、いわゆるハンマーナイフ式の回転刃として構成されている。回転刃１４の夫々は、同一の取り付け部２４に取り付けられる一対の回転刃体２７によって構成されている。
【００３５】
回転刃１４が軸心Ｘ２周りで回転胴体１３の回転方向とは反対側に回転しないように回転刃１４に回り止め作用する回り止め部材２８が、取り付け部２４に着脱可能に取り付けられている。取り付け部２４には、一対の回転刃体２７及び一対の回り止め部材２８が着脱可能に取り付けられている。回り止め部材２８は、部分２８ａと、部分２８ｂと、を有する略Ｌ字形状の部材である。部分２８ｂは、回転刃体２７の基端部に対して軸心Ｘ２周りで接触している。
【００３６】
一対の回り止め部材２８は、一対の部分２８ａが支持片２５を軸心Ｘ２方向の両側から挟み込む状態で、取り付け部２４に取り付けられている。一対の回転刃体２７及び一対の回り止め部材２８は、ボルト２９を介して支持片２５に揺動可能に支持されている。ボルト２９のうち各部分２８ａと各回転刃体２７との間には、夫々、ボス部３０が外嵌されている。ボルト２９の先端部には、ナット３１が取り付けられている。
【００３７】
このような構成によれば、図７に示すように、部分２８ｂが端部片２６に当接することにより、回転刃１４が軸心Ｘ２周りで回転胴体１３の回転方向とは反対側に回転しないように回り止めされることになる。
【００３８】
〔固定刃〕
図４及び図１０から図１２に示すように、固定刃１５は、回転軸心Ｘ１方向において、同一の取り付け部２４に取り付けられた一対の回転刃体２７の間と、隣り合う取り付け部２４に取り付けられた隣り合う回転刃１４の間と、に位置するように設けられている。固定刃１５は、底板２２から回転胴体１３側に向かって突出し、かつ、突出方向に沿って出退可能である。底板２２には、固定刃１５が突出する開口部２２ａが形成されている。
【００３９】
複数の固定刃１５の基端部は、左右方向に延びる連結軸３２によって連結されている。連結軸３２には、複数（例えば、四つ）のステー３３が取り付けられている。複数の固定刃１５は、連結軸３２及びステー３３を介してフレーム３４に支持されている。
【００４０】
ステー３３は、突出方向に沿ってスライド可能にフレーム３４に支持されている。ステー３３は、フレーム３４にボルト３５によって固定されている。ステー３３には、ボルト３５に対応する長孔３３ａが形成されている。フレーム３４の左右両端部には、夫々、側板１８に固定される固定板３６が設けられている。固定板３６は、側板１８に複数（例えば、三本）のボルト３７によって固定されている。
【００４１】
このような構成によれば、ボルト３５を緩めた状態で、ステー３３を突出方向に沿ってスライドさせることにより、固定刃１５の突出長さを、図１１に示す状態（固定刃１５の突出長さを最大にした状態）と、図１２に示す状態（固定刃１５の突出長さを最小にした状態）との範囲で調整することができる。
【００４２】
〔拡散部材〕
図１３及び図１４に示すように、拡散部材１７は、左右の側板３８と、左側の側板３８と右側の側板３８とに亘る天板３９と、を有する下方に開口する部材である。拡散部材１７は、放出口２１と連通するように、接続部材４０を介してケース１６の後部に取り付けられている。左右の側板３８の下端部には、夫々、ハンプ４１が取り付けられている。天板３９の下端部には、ハンプ４２が取り付けられている。天板３９には、細断処理後の排藁を案内する複数のガイド４６が設けられている。ガイド４６は、天板３９に対して垂直な軸心周りで揺動可能な状態で、天板３９に支持されている。左側の側板３８、右側の側板３８及び天板３９は、夫々、前支点周りで揺動可能である。左側の側板３８は、前支点周りで揺動可能なように、ヒンジ４３（例えば、二つ）を介して、接続部材４０の左側部に支持されている。右側の側板３８は、前支点周りで揺動可能なように、ヒンジ４３（例えば、二つ）を介して、接続部材４０の右側部に支持されている。天板３９は、前支点周りで揺動可能なように、ヒンジ４３（例えば、四つ）を介して、接続部材４０の上部に支持されている。
【００４３】
左側の側板３８と天板３９の左端部とが、ボルト４４、４５（本発明に係る「左連結部」に相当）によって連結解除可能に連結されている。左側の側板３８のうち天板３９の左端部に対応する縁部には、ボルト４４に対応する孔３８ａ（図１６参照）及びボルト４５に対応する溝３８ｂ（図１６参照）が形成されている。
【００４４】
右側の側板３８と天板３９の右端部とが、ボルト４４、４５（本発明に係る「右連結部」に相当）によって連結解除可能に連結されている。右側の側板３８のうち天板３９の右端部に対応する縁部には、ボルト４４に対応する孔３８ａ（図１６参照）及びボルト４５に対応する溝３８ｂ（図１６参照）が形成されている。
【００４５】
図１５及び図１６に示すように、拡散部材１７は、左側のボルト４４、４５及び右側のボルト４４、４５を夫々連結解除した状態で、左側の側板３８、右側の側板３８及び天板３９を、夫々、前支点周りで前側に揺動させて折り畳み可能である。左右のボルト４４は、左右の側板３８及び天板３９を折り畳んだ状態で固定するもの（本発明に係る「固定部」に相当）でもあり、左右の側板３８と天板３９とが重なり合う状態で、左右のボルト４４によって固定されるように構成されている。
【００４６】
詳述すると、左側のボルト４４を孔３８ａから取り外すと共に、左側のボルト４５を緩めることにより、左側の側板３８と天板３９の右端部との連結を解除することができる。その際、左側のボルト４５を溝３８ｂから取り外さなくても、左側の側板３８を前支点周りで前側に揺動させるのに伴って、左側のボルト４５が溝３８ｂの開口から抜け出ることになり、左側の側板３８と天板３９の右端部との連結を解除することができる。
【００４７】
同様に、右側のボルト４４を孔３８ａから取り外すと共に、右側のボルト４５を緩めることにより、右側の側板３８と天板３９の左端部との連結を解除することができる。その際、右側のボルト４５を溝３８ｂから取り外さなくても、右側の側板３８を前支点周りで前側に揺動させるのに伴って、右側のボルト４５が溝３８ｂの開口から抜け出ることになり、右側の側板３８と天板３９の左端部との連結を解除することができる。
【００４８】
そして、左側のボルト４４、４５及び右側のボルト４４、４５を夫々連結解除した状態で、左側の側板３８、右側の側板３８及び天板３９を、夫々、前支点周りで前側に揺動させて折り畳んだ後、天板３９が左右の側板３８に対して後側から重なり合う状態で、左側の側板３８と天板３９の右端部とを左側のボルト４４によって固定し、右側の側板３８と天板３９の右端部とを右側のボルト４４によって固定することになる。左右の側板３８には、夫々、ボルト４４に対応する孔３８ｃが形成されている。ここで、天板３９を前支点周りで前側に揺動させて折り畳む際、ガイド４６が左右の側板３８と干渉するのを回避するために、最横外側のガイド４６を閉じておけばよい。こうして、左右の側板３８と天板３９とが重なり合う状態で、左右のボルト４４によって固定されることになる。
【００４９】
〔別実施形態〕
（１）上記実施形態では、一組の回転刃１４が九つ設けられているが、一組の回転刃１４の組数は、九つに限定されるものではない。また、隣り合う一組の回転刃１４の回転軸心Ｘ１周りの間隔は、等角度間隔でなくてもよい。
【００５０】
（２）上記実施形態では、一の取り付け部２４に一対の回転刃体２７が取り付けられているが、一の取り付け部２４に一の回転刃体２７しか取り付けられていなくてもよい。
【００５１】
（３）上記実施形態において、固定刃１５は、回転軸心Ｘ１方向において、同一の取り付け部２４に取り付けられた一対の回転刃体２７の間と、隣り合う取り付け部２４に取り付けられた隣り合う回転刃１４の間と、に一枚位置するように設けられているが、何れかの固定刃１５を省略してもよい。
【００５２】
（４）上記実施形態では、回転刃１４が軸心Ｘ２周りで揺動可能（ハンマーナイフ式の回転刃）であるが、軸心Ｘ２周りで揺動不能（固定式の回転刃）であってもよい。
【００５３】
（５）図１７に示すように、固定刃１５は、回転胴体１３の側面視において、底板２２に対する交差角度αが変化するように揺動可能であってもよい。詳述すると、固定板３６は、底板２２よりも上側に位置するボルト３７を支点にして揺動可能である。側板１８には、底板２２よりも下側に位置するボルト３７に対応する長孔１８ａが形成されている。このような構成によれば、ボルト３７を緩めた状態で、固定板３６を底板２２よりも上側に位置するボルト３７を支点にして揺動させることにより、固定刃１５の交差角度αを長孔１８ａの範囲で調整することができる。
【００５４】
（６）上記実施形態では、固定刃１５が突出方向に出退可能であるが、突出方向に出退不能（突出長さが一定）であってもよい。
【００５５】
（７）上記実施形態では、左右の側板３８と天板３９とが重なり合う状態で、左右のボルト４４によって固定されるように構成されているが、左右の側板３８と天板３９とが重なり合わないように、左右の側板３８及び天板３９を折り畳んだ状態で固定するように構成してもよい。
【００５６】
（８）上記実施形態では、拡散部材１７が折り畳み可能であるが、折り畳み不能であってもよい。
【産業上の利用可能性】
【００５７】
本発明は、コンバイン用の排藁細断装置に利用可能である。
【符号の説明】
【００５８】
１２  排藁細断装置
１３  回転胴体
１４  回転刃
１５  固定刃
１６  ケース
１７  拡散部材
２２  底板
２４  取り付け部
２７  回転刃体
２８  回り止め部材
３８  側板
３９  天板
４４  ボルト（左連結部、固定部）
４５  ボルト（右連結部）
Ｌ１〜Ｌ９  直線
Ｘ１  回転軸心
Ｘ２  軸心
α  交差角度
【図１】
2019076040.tif 000003
【図２】
2019076040.tif 000004
【図３】
2019076040.tif 000005
【図４】
2019076040.tif 000006
【図５】
2019076040.tif 000007
【図６】
2019076040.tif 000008
【図７】
2019076040.tif 000009
【図８】
2019076040.tif 000010
【図９】
2019076040.tif 000011
【図１０】
2019076040.tif 000012
【図１１】
2019076040.tif 000013
【図１２】
2019076040.tif 000014
【図１３】
2019076040.tif 000015
【図１４】
2019076040.tif 000016
【図１５】
2019076040.tif 000017
【図１６】
2019076040.tif 000018
【図１７】
2019076040.tif 000019